(57)【要約】【課題】本発明の課題は、従来の提案に見るようなスパイラルのベルト部材と注意喚起の反射部を別に設ける面倒さを無くして、容易な工程で注意喚起線又はテープを得ること、及びその作成装置と方法を提供することである。【解決手段】本発明では、わざわざ注意喚起部を作らないで、線又はテープ自体を作成する素材に色素、又は蛍光材、畜光材を含有させておくことで、螺旋状（スパイラル）の線又はテープ自体を注意喚起に適切な色、又は発光色を呈するようにしたものである。【選択図】図１
2010048878.tif 000002
【特許請求の範囲】
【請求項１】
注意喚起のための色素、蛍光材、畜光材の少なくとも１つを螺旋状の線又はテープ自体に含有することを特徴とする螺旋状注意喚起線又はテープ。
【請求項２】
前記線又はテープに乱反射材を被覆したことを特徴とする請求項１記載の螺旋状注意喚起線又はテープ。
【請求項３】
所望の螺旋径を有する巻き棒に所望の注意喚起の色の色素又は発光色の蛍光材又は畜光材を有する線又はテープを巻入れ、柔軟にするための所望の温度の加熱手段で加熱した後、冷却手段で冷却することで、螺旋形状を固定し、前記線又はテープを前記巻き棒の開放端側から開放することを特徴とする螺旋状注意喚起線又はテープの作成方法。
【請求項４】
所望の螺旋径を有し、線又はテープを巻くための巻き棒と、前記線又はテープを保持して前記巻き棒の周りに回転する回転巻込手段と、前記巻き棒に巻き込まれた前記線又はテープを柔軟にするために加熱する加熱手段と、加熱後に冷却して螺旋形状として固定するための冷却手段と、前記線又はテープを開放するための前記巻き棒の開放端とを有することを特徴とする螺旋状注意喚起線又はテープの作成装置。
【発明の詳細な説明】
【技術分野】
【０００１】
本発明は、工事現場他で柱、管、棒状突起などに巻いて見る者に視覚的に注意喚起を行う適切なカラーの螺旋状注意喚起線又はテープとその作成装置および作成方法に関するものである。
【背景技術】
【０００２】
従来、注意喚起を行う表示物として、黒と黄色の虎模様の粘着テープが知られている。粘着テープでは接着はよいが、不要時に外す場合はきれいに取れないので、使用したくない場合がある。
【０００３】
特許文献１には、虎模様のテープとは違って、スパイラル状のベルト部材で外側面に反射部を設けたものが提示されている。図３は、従来のスパイラル状の注意喚起具を示す図である。ここでは、特に粘着材は必須ではないが、ベルト部材３０１に反射部３０２を設けるのは作成上工程が複雑になる欠点を持っている。
【特許文献１】特開２００６−１８０８８
【発明の開示】
【発明が解決しようとする課題】
【０００４】
本発明の課題は、従来の提案に見るようなスパイラルのベルト部材と注意喚起の反射部を別に設ける面倒さを無くして、容易な工程で注意喚起線又はテープを得ること、及びその作成装置と方法を提供することである。
【課題を解決するための手段】
【０００５】
以上の要求から、螺旋状（スパイラル）の線又はテープ自体を注意喚起に適切な色、又は発光色を呈するようにしたものである。従って、線又はテープ自体を作成する素材に色素、又は蛍光材、畜光材を含有させておけば、わざわざ注意喚起部を作らなくとも、線又はテープを作成すれば、注意喚起色を持った螺旋状線又はテープが出来ることになる。その作成装置と方法を含め、以下、請求項に沿って説明する。     
【０００６】
請求項１記載の発明は、螺旋状注意喚起線又はテープであって、注意喚起のための色素、蛍光材、畜光材の少なくとも１つを螺旋状の線又はテープ自体に含有することを特徴とする。
【０００７】
請求項２記載の発明は、請求項１記載の螺旋状注意喚起線又はテープにおいて、前記線又はテープに乱反射材を被覆したことを特徴とする。
【０００８】
請求項３記載の発明は、螺旋状注意喚起線又はテープの作成方法であって、所望の螺旋径を有する巻き棒に所望の注意喚起の色の色素又は発光色の蛍光材又は畜光材を有する線又はテープを巻入れ、柔軟にするための所望の温度の加熱手段で加熱した後、冷却手段で冷却することで、螺旋形状を固定し、前記線又はテープを前記巻き棒の開放端側から開放することを特徴とする。
【０００９】
請求項４記載の発明は、螺旋状注意喚起線又はテープの作成装置であって、所望の螺旋径を有し、所望の注意喚起の色の色素又は発光色の蛍光材又は畜光材を有する線又はテープを巻くための巻き棒と、前記線又はテープを保持して前記巻き棒の周りに回転する回転巻込手段と、前記巻き棒に巻き込まれた前記線又はテープを柔軟にするために加熱する加熱手段と、加熱後に冷却して螺旋形状として固定するための冷却手段と、前記線又はテープを開放するための前記巻き棒の開放端とを有することを特徴とする。
【発明の効果】
【００１０】
以上のように構成されているので、本発明による螺旋状注意喚起線又はテープでは、線又はテープ自体が注意喚起の色をもつので、特別に注意喚起部を設けることが不要となり、作成が容易になる。又、色を適切に変えることにより、色々の注意喚起に使用できる。
【発明を実施するための最良の形態】
【００１１】
本発明による螺旋状注意喚起線又はテープでは、螺旋状の線又はテープ自体に注意喚起の色又は蛍光色、畜光色を有するようにしたものである。以下、実施例を用い説明する。
【００１２】
図１は、本発明による螺旋状注意喚起線又はテープの一実施態様を示す図である。１−Ａでは、断面形状は略円形又は楕円形の線であり、１−Ｂでは、断面形状が矩形であり、線又はテープとなっている。螺旋状注意喚起線又はテープ自体は、使用時は、他のものに絡めるので、伸縮性があるほうがよい。素材としては、ゴム、アクリル樹脂、ポリウレタン樹脂などが使用できる。
【００１３】
色については、注意喚起用には黄色が主であるが、これにこだわらずに使用できる。特に色により作業現場の注意の種を示すようにすると便利である。例えば、黄色は一般注意、緑は酸欠注意、赤は高所注意などである。
【００１４】
色以外に、発光をすると更に都合がよい。例えば、蛍光体や畜光体を色素の代わりに含ませると、夜光を発して、暗いところでの注意喚起になる。又、全体に乱反射材を被覆すれば、光を反射して注意喚起が出来る。
【００１５】
本発明による螺旋状注意喚起線又はテープは、連続的に長く作ると、使用時は適当な長さに切って使えるので便利である。
【００１６】
次に、連続的に長い螺旋状注意喚起線又はテープを作成する装置と方法について述べる。
図２は、本発明に係る螺旋状注意喚起線又はテープの作成装置の主たる部分を示す図である。所望の螺旋径を有する巻き棒２０１に、線又はテープ２０２を保持して回転する回転巻込手段２０３により、線又はテープ２０２が巻かれ、巻くにつれて、巻かれたものは、右側に移動する。移動を助けるには、巻入ガイド２０４又は、図示されない巻入移動手段を有することが好ましい。巻入移動手段は、後に示す引出送出手段と同様でよい。巻きにつれて移動した線又はテープ２０２は、加熱手段２０５の中を通り、適度な加熱により、柔らかくなり、更に移動して冷却手段２０６の中を通り、冷却されて、巻入形状通りの螺旋状に形が固定する。冷却した線又はテープ２０２は、引出送出手段２０７により、右側に引き出される。一旦固まってしまうと、引出送出手段２０７の助けを借りなくとも螺旋形状を維持して移動することが可能であるが、引出送出手段２０７があると確実な送出が出来る。引出送出手段２０７には、色々可能であるが、冷却した線又はテープ２０２をつかんで引くものや、この例のように、回転体が溝を有していて、回転により溝にガイドされて、冷却した線又はテープ２０２が移動するなど可能である。
【００１７】
従って、螺旋状注意喚起線又はテープの作成装置を用いて、螺旋状注意喚起線又はテープを作成する方法が可能である。所望の螺旋径を有する巻き棒２０１に所望の注意喚起の色又は発光色の蛍光材又は畜光材を有する線又はテープを巻入れ、柔軟にする適度な温度の加熱手段で加熱した後、冷却手段で冷却することで、螺旋形状を固定し、線又はテープを巻き棒２０１の開放端側から開放することで、長く連続した螺旋状注意喚起線又はテープを作る方法が可能となる。
【産業上の利用可能性】
【００１８】
以上の様に、本発明による螺旋状注意喚起線又はテープは、線又はテープ自体が注意喚起の色又は、蛍光色、畜光色をもつので、特別に注意喚起部を設けることが不要となり、作成が容易になる。又、螺旋状注意喚起線又はテープを長く連続して作成する方法と装置を開示したので、産業上大きな利用性を有している。
【図面の簡単な説明】
【００１９】
【図１】本発明による螺旋状注意喚起線又はテープの一実施態様を示す図である。
【図２】本発明による螺旋状注意喚起線又はテープの作成装置の主たる部分を示す図である。
【図３】従来のスパイラル状の注意喚起具を示す図である。
【符号の説明】
【００２０】
２０１  巻き棒
２０２  線又はテープ
２０３  回転巻込手段
２０４  巻入ガイド
２０５  加熱手段
２０６  冷却手段
２０７  引出送出手段
３０１  ベルト部材
３０２  反射部           
【図１】
2010048878.tif 000003
【図２】
2010048878.tif 000004
【図３】
2010048878.tif 000005